(57)【要約】【課題】ロープを適切に樹木に取付ける。【解決手段】ロープ取付工具１は、伸縮可能な操作棒１０と、操作棒１０の先端に末端部３２が取り付けられ、末端部３２から先端部３４まで湾曲した形状となっており、湾曲した形状に沿って溝３６が設けられているガイド部１２と、ガイド部１２の溝３６内に沿うように設けられ、先端に重り４２が取り付けられているロープ１４と、操作棒１０の先端よりも末端側に設けられ、ロープ１４を巻き取り可能なリール部１６と、を有する。リール部１６は、ロープ１４の先部位４４をガイド部１２に対して相対的に固定したまま、ロープ１４の巻き取られている末端側を送り出し可能とする半開放状態と、半開放状態よりもロープ１４の固定をさらに開放して、ロープ１４の巻き取られている末端側を送り出し可能としつつロープ１４の先端を落下可能にする開放状態と、を切り替え可能である。【選択図】図１
2019041674.tif 000002
【特許請求の範囲】
【請求項１】
伸縮可能な操作棒と、
前記操作棒の先端に末端部が取り付けられ、前記末端部から先端部まで湾曲した形状となっており、湾曲した形状に沿って溝が設けられているガイド部と、
前記ガイド部の溝内に沿うように設けられ、先端に重りが取り付けられているロープと、
前記操作棒の先端よりも末端側に設けられ、前記ロープを巻き取り可能なリール部と、を有し、
前記リール部は、
前記ロープの先端側の部位を前記ガイド部に対して相対的に固定したまま、前記ロープの巻き取られている末端側を送り出し可能とする半開放状態と、
前記半開放状態よりも前記ロープの固定を開放して、前記ロープの巻き取られている末端側を送り出し可能としつつ、前記ロープの先端を落下可能にする開放状態と、を切り替え可能である、
ロープ取付工具。
【請求項２】
前記ガイド部の先端部に設けられ、前記ロープを上に載せつつ回転するローラー部をさらに有する、請求項１に記載のロープ取付工具。
【請求項３】
前記ガイド部は、前記溝が設けられ、直線状に延びた状態と湾曲した状態とを切り替え可能なガイド延在部と、前記操作棒側の末端部に設けられて、前記ガイド延在部の前記操作棒に対する角度を変化させる関節部と、を有し、
前記ガイド部は、前記ガイド延在部を伸びた状態とした延在状態と、前記延在状態よりも前記ガイド延在部を前記操作棒に対して傾斜させつつ、前記ガイド延在部を湾曲した状態とした湾曲状態とを、切り替え可能である、請求項１又は請求項２に記載のロープ取付工具。
【請求項４】
請求項１から請求項３のいずれか１項に記載のロープ取付工具を用いて、ロープを樹木に取付けるロープ取付方法であって、
前記リール部を半開放状態としつつ前記操作棒を伸ばして、所定高さの位置における前記樹木の周囲に、前記ガイド部を沿わせるガイド部設置ステップと、
前記ガイド部を前記樹木の周囲に沿わせた状態で、前記リール部を開放状態として、前記ロープの先端を落下させる落下ステップと、
を有する、ロープ取付方法。
【請求項５】
前記落下ステップの後に、落下した前記ロープに別のロープを取り付ける別ロープ取付けステップと、
前記リール部により前記ロープを巻き上げることで、落下させた前記ロープの先端を前記別のロープと共に引き上げる引き上げステップと、
前記引き上げステップにおいて引き上げた前記別のロープの先端を引き下げて、前記別のロープを前記樹木に取付ける引き下げステップと、を更に有する、請求項４に記載のロープ取付方法。
【発明の詳細な説明】
【技術分野】
【０００１】
本発明は、ロープ取付工具及びロープ取付方法に関する。
【背景技術】
【０００２】
樹木を伐採する際には、樹木を倒す方向を規定するために、樹木をロープで引き寄せながら切り倒す場合がある。その際、引き寄せるためのロープを、樹木の高所に取付ける必要がある。従来は、例えばロープを樹木に向かって投げ上げて、樹木の高所にロープを引っ掛けていた。また、例えば、特許文献１には、棒の先端に屈曲する溝状のロープガイドを設け、ロープガイドにフックが設けられている引きロープ取付具が記載されている。特許文献１の技術では、ロープガイドにロープを這わせた状態で、棒を用いてロープガイドを高所まで持ち上げて、ロープガイドを樹木の高所箇所の周囲に沿わせる。そして、ロープガイド内のロープの先端を自重で落下させることで、ロープを樹木の高所に取付けている。また、ロープの先端が落下しない場合は、高所において、ロープガイドに設けられたフックにロープの先端を係合することで、ロープを樹木の高所に取付けている。
【先行技術文献】
【特許文献】
【０００３】
【特許文献１】特開２００６−２３８８０７号公報
【発明の概要】
【発明が解決しようとする課題】
【０００４】
特許文献１の方法では、ロープガイドにロープを這わせた状態で、ロープガイドを高所まで持ち上げている。しかし、ロープガイドを持ち上げる際に、ロープがその持ち上げる動きに適切に追従できずに、ロープがロープガイドから外れてしまうおそれがある。また、ロープガイド内のロープの先端が、自重で上手く落下しないおそれもある。また、高所においてロープの先端をフックに係合することは、ロープが揺れるなどの理由により、困難となる場合もある。このように、ロープ取付工具を用いてロープを適切に樹木に取付ける際には、改善の余地がある。
【０００５】
本発明は、上記課題を解決するために、ロープを適切に樹木に取付けることができるロープ取付工具及びロープ取付方法を提供することを目的とする。
【課題を解決するための手段】
【０００６】
上述した課題を解決し、目的を達成するために、本開示のロープ取付工具は、伸縮可能な操作棒と、前記操作棒の先端に末端部が取り付けられ、前記末端部から先端部まで湾曲した形状となっており、湾曲した形状に沿って溝が設けられているガイド部と、前記ガイド部の溝内に沿うように設けられ、先端に重りが取り付けられているロープと、前記操作棒の先端よりも末端側に設けられ、前記ロープを巻き取り可能なリール部と、を有し、前記リール部は、前記ロープの先端側の部位を前記ガイド部に対して相対的に固定したまま、前記ロープの巻き取られている末端側を送り出し可能とする半開放状態と、前記半開放状態よりも前記ロープの固定を開放して、前記ロープの巻き取られている末端側を送り出し可能としつつ、前記ロープの先端を落下可能にする開放状態と、を切り替え可能である。
【０００７】
前記ロープ取付け工具は、前記ガイド部の先端部に設けられ、前記ロープを上に載せつつ回転するローラー部をさらに有することが好ましい。
【０００８】
前記ロープ取付け工具において、前記ガイド部は、前記溝が設けられ、直線状に延びた状態と湾曲した状態とを切り替え可能なガイド延在部と、前記操作棒側の末端部に設けられて、前記ガイド延在部の前記操作棒に対する角度を変化させる関節部と、を有し、前記ガイド部は、前記ガイド延在部を伸びた状態とした延在状態と、前記延在状態よりも前記ガイド延在部を前記操作棒に対して傾斜させつつ、前記ガイド延在部を湾曲した状態とした湾曲状態とを、切り替え可能であることが好ましい。
【０００９】
上述した課題を解決し、目的を達成するために、本開示のロープ取付方法は、前記ロープ取付け工具を用いて、ロープを樹木に取付けるロープ取付方法であって、前記リール部を半開放状態としつつ前記操作棒を伸ばして、所定高さの位置における前記樹木の周囲に、前記ガイド部を沿わせるガイド部設置ステップと、前記ガイド部を前記樹木の周囲に沿わせた状態で、前記リール部を開放状態として、前記ロープの先端を落下させる落下ステップと、を有する。
【００１０】
前記ロープ取付方法は、前記落下ステップの後に、落下した前記ロープに別のロープを取り付ける別ロープ取付けステップと、前記リール部により前記ロープを巻き上げることで、落下させた前記ロープの先端を前記別のロープと共に引き上げる引き上げステップと、前記引き上げステップにおいて引き上げた前記別のロープの先端を引き下げて、前記別のロープを前記樹木に取付ける引き下げステップと、を更に有することが好ましい。
【発明の効果】
【００１１】
本発明によれば、ロープを適切に樹木に取付けることができる。
【図面の簡単な説明】
【００１２】
【図１】図１は、第１実施形態に係るロープ取付工具の構成を示す模式図である。
【図２】図２は、第１実施形態に係るロープ取付工具の構成を示す模式図である。
【図３】図３は、第１実施形態に係るロープ取付工具の構成を示す模式図である。
【図４】図４は、第１実施形態に係るリール部の動作を説明するための図である。
【図５】図５は、第１実施形態に係るロープ取付工具を用いてロープを樹木に取付ける方法を説明する説明図である。
【図６】図６は、別のロープを取り付ける例を説明する説明図である。
【図７】図７は、第２実施形態に係るロープ取付け工具の延在状態と湾曲状態とを示す図である。
【図８】図８は、第２実施形態に係るガイド部を延在状態から湾曲状態に切り替える際の方法の一例を説明する図である。
【図９】図９は、第２実施形態に係るロープ取付工具を用いてロープを樹木に取付ける方法を説明する説明図である。
【発明を実施するための形態】
【００１３】
以下に添付図面を参照して、本発明の好適な実施形態を詳細に説明する。なお、この実施形態により本発明が限定されるものではなく、また、実施形態が複数ある場合には、各実施例を組み合わせて構成するものも含むものである。
【００１４】
（第１実施形態）
最初に、第１実施形態について説明する。図１から図３は、第１実施形態に係るロープ取付工具の構成を示す模式図である。図１は、第１実施形態に係るロープ取付工具１の模式的な斜視図である。図２は、ロープ取付工具１の模式的な正面図である。図３は、ロープ取付工具１の模式的な上面図である。
【００１５】
ロープ取付工具１は、樹木Ｔの幹の高所（高い位置）にロープを取付ける（掛け回す）ための工具である。作業者は、ロープ取付工具１で樹木Ｔにロープを掛け回した後、このロープで樹木Ｔをけん引しながら、樹木Ｔを伐採する。これにより、樹木Ｔは、ロープで引っ張った方向に倒れる。
【００１６】
図１及び図２に示すように、ロープ取付工具１は、操作棒１０と、ガイド部１２と、ロープ１４と、リール部１６とを有する。
【００１７】
図１及び図２に示すように、操作棒１０は、先端部２０から末端部２２まで軸方向に延在する棒状部材であり、軸方向に伸縮可能となっている。操作棒１０は、伸ばした際に、末端部２２から先端部２０までの軸方向に沿った長さが長くなり、縮めた際に、末端部２２から先端部２０までの軸方向に沿った長さが短くなる。操作棒１０は、先端部２０に、ガイド部１２が取り付けられており、末端部２２近傍の外周に、リール部１６が取り付けられている。作業者は、この末端部２２を把持して、ロープ取付け作業を行う。すなわち、この末端部２２は、把持部となっている。
【００１８】
図１から図３に示すように、ガイド部１２は、末端部が操作棒１０の先端に設けられ、湾曲した形状となっている部材である。また、ガイド部１２は、湾曲した形状に沿って、溝３６が設けられている。具体的には、ガイド部１２は、ガイド延在部３０と、溝３６とを有している。
【００１９】
図１及び図２に示すように、ガイド延在部３０は、末端部３２から先端部３４まで、湾曲しつつ延在する部材である。ガイド延在部３０は、末端部３２が、操作棒１０の先端部２０に取付けられている。すなわち、ガイド延在部３０は、操作棒１０の先端部２０（末端部３２）から、湾曲しながら先端部３４まで延在する部材である。さらに詳しくは、ガイド延在部３０は、末端部３２から先端部３４までにおいて、樹木Ｔの幹の外周の少なくとも一部を包囲可能に湾曲しており、例えばＵ字状に湾曲している。ガイド延在部３０は、末端部３２から先端部３４までにおいて、樹木Ｔの幹の外周を半周以上、包囲可能な形状となっていることが好ましい。なお、ガイド延在部３０は、末端部３２から先端部３４までにおいて、操作棒１０の軸方向に向かって傾斜しておらず、末端部３２から先端部３４までの各箇所は、軸方向においては同じ位置となっている。ただし、ガイド延在部３０は、例えば、末端部３２から先端部３４に向かうに従って、操作棒１０の軸方向の上方側に位置するように傾斜していてもよい。
【００２０】
溝３６は、ガイド延在部３０に設けられた溝である。溝３６は、ガイド延在部３０が末端部３２から先端部３４まで延在する方向に沿って、ガイド延在部３０の末端部３２から先端部３４までにおいて連続して設けられている。溝３６は、ガイド延在部３０の上面側に設けられており、ガイド延在部３０の底面まで貫通していない。すなわち、溝３６は、上面側が開放されており、かつ、底面を有した溝となっている。また、溝３６は、ガイド延在部３０の延在方向に沿って、先端部３４が開口するように設けられている。従って、溝３６は、底面に沿ってロープ１４を保持し、かつ、ロープ１４の先端を、先端部３４から外部に露出させることが可能となっている。このように、ガイド延在部３０は、溝３６が設けられることにより、上方が開放され底面を有する樋状の部材となっている。
【００２１】
また、ガイド延在部３０には、ローラー部３９が設けられている。ローラー部３９は、先端部３４に設けられており、さらに言えば、先端部３４における溝３６内に設けられている。ローラー部３９は、上部にロープ１４をのせた状態で回転することで、ロープ１４を、溝３６内から先端部３４の外部へ送り出すことができる。また、ローラー部３９は、上部にロープ１４をのせた状態で反対方向に回転することで、先端部３４より外側のロープ１４を、溝３６内に戻すことができる。
【００２２】
図１及び図２に示すように、リール部１６は、ロープ１４を巻き取り可能な装置である。リール部１６は、操作棒１０の末端部２２に取付けられており、ロープ１４を保持している。リール部１６は、ボビン部５０と、軸部５２と、ハンドル部５４と、負荷調整部５６とを有する。
【００２３】
ボビン部５０は、円柱状の部材であり、外周にロープ１４が巻き付けられている。軸部５２は、ボビン部５０の軸である。ハンドル部５４は、軸部５２に取付けられたハンドルである。リール部１６は、ハンドル部５４が回されることで、軸部５２を介してボビン部５０が回転する。ボビン部５０が回転することにより、ボビン部５０に巻き付けられているロープ１４が、ボビン部５０から送り出される。また、ハンドル部５４が逆方向に回されることで、ボビン部５０が逆回転し、ボビン部５０から送り出されているロープ１４が、ボビン部５０に巻き取られる。
【００２４】
負荷調整部５６は、ボビン部５０の外周に設けられており、ボビン部５０の外周に巻き付けられたロープ１４を固定可能である。本実施形態において、負荷調整部５６は、ボビン部５０の外周に巻き取られたロープ１４に対する負荷を調整することで、ロープ１４を、送り出し不可能な状態と、送り出し可能な状態とで切り替える。例えば、負荷調整部５６は、ロープ１４に対する負荷を高くすることで、ロープ１４を固定し、ボビン部５０から送り出すことを抑制する。また、負荷調整部５６は、ロープ１４に対する負荷を低くすることで、ロープ１４の固定を解除し、ロープ１４をボビン部５０から送り出し可能な状態とする。
【００２５】
図１及び図２に示すように、ロープ１４は、リール部１６に取付けられた（ボビン部５０に巻き付けられた）末端部４１から、先端部４０まで延在するロープである。ロープ１４は、紐状の部材であり、樹木Ｔの伐採の際に引っ張っても切れない程度の強度を有している部材であれば、その材料は任意であり、例えばワイヤなどであってもよい。ロープ１４は、先部位４４が、ガイド延在部３０の溝３６内に設けられており、溝３６内において、ガイド延在部３０の末端部３２から先端部３４への延在方向に沿うように設けられている。なお、先部位４４は、ロープ１４の先端部４０と末端部４１の間の部位であって、先端部４０側の部位である。また、ロープ１４は、末部位４６が、ガイド延在部３０の末端部３２とリール部１６との間に、操作棒１０の軸方向に沿うように設けられている。末部位４６は、ロープ１４の先端部４０と、リール部１６に取付けられている末端部４１の間の部位であって、先部位４４よりも末端部４１側の部位である。
【００２６】
ロープ１４は、先端部４０が、ガイド延在部３０の溝３６から外側に露出している。先端部４０には、重り４２と、フック部４３とが取り付けられている。重り４２は、ロープ１４よりも比重が大きい、所定の重みを有する部材である。フック部４３は、ロープ１４の先端部４０を他の部材やロープ１４の他の部位に取付け（固定）可能なフックである。フック部４３の形状は、任意である。
【００２７】
ロープ１４は、リール部１６によって動きが調整される。図４は、第１実施形態に係るリール部の動作を説明するための図である。図４に示すように、リール部１６は、固定状態と、半開放状態と、開放状態とを切り替えることで、ロープ１４の動作を制御する。
【００２８】
図４に示すように、固定状態は、リール部１６によりロープ１４を固定した状態である。リール部１６は、例えば、負荷調整部５６によりロープ１４に負荷を加えることで、ボビン部５０に巻き付けられているロープ１４を固定して、固定状態とする。これにより、固定状態において、ボビン部５０に巻き付けられたロープ１４は、ボビン部５０から送り出されなくなる。従って、ロープ１４は、ボビン部５０の外側の部位、すなわち末部位４６から先端部４０までの長さが、長くなることが抑制される（長さが一定に保たれる）。従って、固定状態において、ロープ１４の先端部４０の位置は、ほぼ動かない。なお、固定状態において、ハンドル部５４を回してロープ１４をボビン部５０に巻き取ることは可能であってもよい。この場合、末部位４６から先端部４０までの長さは、巻き取られることで短くなるが、長くなることは抑制されている。
【００２９】
図４に示すように、半開放状態は、リール部１６が、ロープ１４の固定を半解除した状態である。リール部１６は、例えば、負荷調整部５６によるロープ１４への負荷を、固定状態よりも低下させることで、ボビン部５０に巻き付けられているロープ１４を送り出し可能な半開放状態とする。半開放状態においては、例えば作業者によりロープ１４を引き出したり、ハンドル５４を回転させたりするなどの、自重以外の補助力（外部の作用）により、ロープ１４は送り出される。ただし、リール部１６は、ロープ１４への負荷をある程度残している。従って、半開放状態において、ロープ１４の重り４２などの自重によっては、ロープ１４が送り出されることはない。このように、半開放状態においては、リール部１６によるロープ１４の固定を固定状態よりも弱めることで、外力によってロープ１４を送り出し可能な状態とする。一方、半開放状態においては、ロープ１４の固定を完全に解除しておらず、ロープ１４の重り４２などの自重よりも、リール部１６によるロープ１４の固定力を強くしている。従って、半開放状態においては、ロープ１４の自重によるロープ１４の送り出しは、抑制されている。また、半開放状態において、ハンドル部５４を回してロープ１４をボビン部５０に巻き取ることも可能である。すなわち、半開放状態においては、ロープ１４の送り出しが可能であり、かつ、ロープ１４の巻取りが可能である状態といえる。
【００３０】
また、半開放状態において操作棒１０を伸ばすと、ロープ１４を送り出す方向の外力が生じる。従って、この場合、ロープ１４が送り出され、ロープ１４の送り出す長さは、操作棒１０を伸ばす長さに対応する。従って、半開放状態においてロープ１４を送り出すと、ロープ１４のガイド延在部３０の末端部３２とリール部１６との間の部位、すなわち末部位４６の長さが長くなる。一方、半開放状態においてロープ１４を送り出す際には、ロープ１４の溝３６に収納されている部位、すなわち先部位４４は、ガイド延在部３０に対して動かず、ガイド延在部３０に対して相対的に位置が固定されている。従って、先部位４４は、溝３６内に収納されたままとなり、先端部４０は、固定状態と同様に、位置がほぼ固定されている。
【００３１】
このように、リール部１６は、半開放状態においては、ロープ１４の固定を開放して、ロープ１４の先端側の部位（先部位４４）をガイド部１２に対して相対的に固定したまま、ロープ１４のボビン部５０に巻き取られている末端側を送り出す。
【００３２】
なお、ロープ取付工具１は、ロープ１４の先部位４４をガイド延在部３０に固定するための、図示しない固定部を、ガイド部１２に設けてもよい。この場合、ロープ取付工具１は、半開放状態において、固定部でロープ１４の先部位４４をガイド部１２に固定することで、先部位４４のガイド部１２に対する動きを抑制しつつ、ロープ１４のボビン部５０に巻き取られている部位を送り出して、末部位４４の長さだけを長くすることができる。これにより、半開放状態において、先部位４４を溝３６内に収納したまま（先部位４４をガイド部１２に対して固定したまま）、操作棒１０の長さに合わせてロープ１４を送り出すことができる。なお、固定部を設ける場合、固定部は、ロープ１４の先部位４４の固定を解除できるように構成されていることが好ましい。この場合、固定部は、操作棒１０を長くした場合でも作業者によって固定を解除可能に構成されていることが好ましく、例えば、遠隔操作や別の長い棒による切替操作などにより、固定を解除可能となっていることが好ましい。固定部は、例えば、ローラー部３９の回転をロックすることで先部位４４をガイド部１２に対して固定し、ローラー部３９の回転のロックを解除することで、先部位４４のガイド部１２に対する固定を解除するものであってよい。
【００３３】
また、図４に示すように、開放状態は、リール部１６が、半開放状態よりもロープ１４の固定をさらに開放した状態であり、ロープ１４の先端部４０を落下可能にする状態である。リール部１６は、例えば、負荷調整部５６によるロープ１４への負荷を、半開放状態よりも低下させることで、ボビン部５０に巻き付けられているロープ１４を送り出し可能としつつ、ロープ１４の先端部４０が自重で落下可能な状態、すなわち開放状態とする。開放状態においては、負荷調整部５６によるロープ１４への負荷を、完全に開放してもよい。開放状態において、ロープ１４の先端部４０は、重り４２などの自重により、鉛直方向下方に落下する。それに伴い、ロープ１４の先部位４４はガイド部１２に対して動いて溝３６内から外部に引き出され、ボビン部５０に巻き付けられているロープ１４が送り出される。なお、上述する固定部を設ける場合、開放状態において、固定部による先部位４４のガイド部１２への固定を、解除する。開放状態において固定部による固定を解除することで、ロープ１４の先端部４０がスムーズに落下可能となる。なお、開放状態においては、ロープ１４の固定が開放されているため、ロープ１４の巻取りを行うことはできない。
【００３４】
ロープ取付工具１の構成は、以上のようになっている。以下、ロープ取付工具１を用いてロープ１４を樹木Ｔに取付ける方法について説明する。図５は、第１実施形態に係るロープ取付工具を用いてロープを樹木に取付ける方法を説明する説明図である。図５のステップＳ１０に示すように、ロープ１４を樹木Ｔに取付ける際には、作業者は、樹木Ｔの根元近傍に立ち、操作棒１０を縮めた状態で、操作棒１０の末端部２２を把持する。この場合、作業者は、リール部１６を固定状態としておき、ロープ１４の先部位４４をガイド部１２の溝３６内に収納し、ロープ１４の先端部４０を溝３６の外側に露出させておく。
【００３５】
ステップＳ１０の後、作業者は、リール部１６を半開放状態とし、操作棒１０を樹木Ｔの幹に沿って鉛直方向上方に伸ばす（ステップＳ１２）。操作棒１０の先端のガイド部１２は、操作棒１０の伸びに伴い、鉛直方向上方に上昇してゆく。そして、作業者は、操作棒１０を伸ばすと共に、ロープ１４のボビン部５０に巻き付けられている部位を送り出し、ロープ１４の末部位４６を、操作棒１０の伸ばし量に合わせて伸ばしてゆく。この際、リール部１６が半開放状態であるため、ロープ１４の先部位４４は、ガイド部１２に対して相対位置が固定されている。従って、ロープ１４の先部位４４は、溝３６内に留まったまま（ガイド部１２対して相対位置が固定されたまま）、操作棒１０の伸びに伴い鉛直方向上方に上昇し、ロープ１４の先端部４０は、ガイド部１２対して相対位置が固定されたまま、操作棒１０の伸びに伴い鉛直方向上方に上昇する。
【００３６】
作業者は、ガイド部１２がロープ１４を取り付けるために望ましい高さまで到達したら、操作棒１０の長さをその状態に保ったまま、ガイド部１２の湾曲した箇所の内周を、樹木Ｔの外周に沿わせる（ステップＳ１４）。これにより、ガイド部１２が樹木Ｔを囲うように配置され、ガイド部１２内のロープ１４も、樹木を囲う。なお、作業者は、ガイド部１２が望ましい高さまで到達した時点で、リール部１６を半開放状態から固定状態に切り替えて、ガイド部１２を樹木Ｔの周囲に沿わせてもよいし、半開放状態としたままで、ガイド部１２を樹木Ｔの周囲に沿わせてもよい。なお、図５の例では、ガイド部１２を樹木Ｔの幹の外周に沿わせたが、樹木Ｔの枝の外周に沿わせてもよい。
【００３７】
このように、ステップＳ１２及びステップＳ１４において、作業者は、リール部１６を半開放状態としつつ操作棒１０を伸ばして、所定高さの位置における樹木Ｔの周囲に、ガイド部１２を沿わせる。このステップＳ１２及びステップＳ１４は、ガイド部設置ステップに相当する。
【００３８】
ガイド部設置ステップが完了したら、作業者は、樹木Ｔの周囲にガイド部１２を沿わせた状態で、リール部１６を開放状態として、ロープ１４の先端部４０を、鉛直方向の下方に落下させる（ステップＳ１６；落下ステップ）。作業者は、樹木Ｔの周囲にガイド部１２を沿わせた状態で、リール部１６を、半開放状態又は固定状態から、開放状態に切り替える。リール部１６は、開放状態において、ロープ１４を送り出し可能な状態としつつ、ロープ１４の先端４０を落下可能な状態とする。従って、リール部１６を開放状態に切り替えると、ロープ１４は、リール部１６から送り出されつつ、先端部４０が、重り４２などの自重により持ち上げられた高さから落下し、地表に到達する。また、ロープ１４がローラー部３９の上部に載せられているため、ローラー部３９の回転により、ロープ１４はより円滑に落下する。
【００３９】
落下ステップの後、作業者は、ロープ１４のフック部４３をロープ１４の末部位４６に引っ掛ける（ステップＳ１８；先端固定ステップ）。ロープ１４の先端部４０は、地表まで到達しているため、作業者は、フック部４３を容易にロープ１４の末部位４６に固定することができる。これにより、ロープ１４は、樹木Ｔの周囲を囲った状態となる。なお、先端部４０が地表に到達したら、作業者は、リール部１６を開放状態から固定状態に切り替えてもよいし、開放状態のままとしていてもよい。
【００４０】
ステップＳ１８の後、作業者は、ロープ１４のフック部４３を末部位４６に引っ掛けた状態で、ロープ１４をリール部１６に巻き取る（ステップＳ２０；引き上げステップ）。これにより、フック部４３の取付け箇所（ロープ１４の先端部４０）が上方に引き上げられ、ロープ１４が樹木Ｔに対し、より締付けられた状態となる。なお、ロープ１４をリール部１６に巻き取る場合、作業者は、リール部１６をロープ１４の巻取りが可能な状態としておき、ハンドル部５４を回転させて、ロープ１４を巻き取る。巻き取りが可能な状態としては、ロープ１４の先端部４０が自重で落下しない状態であることが好ましく、ここでは、固定状態又は半開放状態である。また、ロープ１４はローラー部３９の上部に載せられているため、ローラー部３９の回転により、ロープ１４は円滑に引き上げられる。このステップＳ２０により、本作業は終了する。
【００４１】
なお、ステップＳ２０の後、作業者は、ロープ１４の樹木Ｔを囲っている箇所（輪状部分）を、ロープ取付工具１から取り外す。例えばロープ取付工具１を引き下げると、ロープ１４の輪状部分は、ガイド部１２の溝３６の上方から溝３６の外側に露出する。そして、作業者は、さらにロープ１４を巻き取ることで、ロープ１４を樹木Ｔに対して締め付けることができる。その後、作業者は、ロープ１４を切断したりボビン部５０をロープ取付工具１から取り外して、ロープ１４をロープ取付工具１から取り外した状態で、ロープ１４で樹木Ｔを望む方向に引張りながら、樹木Ｔを伐採する。これにより、樹木Ｔは、ロープ１４で引っ張られた方向に倒れる。なお、作業者は、ロープ１４をロープ取付工具１に取付けた状態で、樹木Ｔを伐採してもよい。
【００４２】
以上説明したように、本実施形態に係るロープ取付工具１は、操作棒１０と、ガイド部１２と、ロープ１４と、リール部１６とを有する。操作棒１０は、伸縮可能である。ガイド部１２は、操作棒１０の先端部２０に末端部３２が取り付けられ、末端部３２から先端部３４まで湾曲した形状となっており、湾曲した形状に沿って溝３６が設けられている。ロープ１４は、ガイド部１２の溝３６内に沿うように設けられ、先端に重り４２が取り付けられている。リール部１６は、操作棒１０の先端部２０よりも末端側に設けられ、ロープ１４を巻き取り可能である。リール部１６は、半開放状態と、開放状態とを切り替え可能である。半開放状態とは、ロープ１４の先端側の部位（先部位４４）をガイド部１２に対して相対的に固定したまま、ロープ１４の巻き取られている末端側を、リール部１６から送り出し可能とする状態である。開放状態とは、半開放状態よりもロープ１４の固定を開放して、ロープ１４の巻き取られている末端側をリール部１６から送り出し可能としつつ、ロープ１４の先端部４０を落下可能にする状態である。
【００４３】
このロープ取付工具１は、操作棒１０を伸ばすことで、先端のガイド部１２を樹木Ｔの高い箇所の周囲に沿わせることができる。そして、操作棒１０を伸ばす際に、リール部１６を半開放状態とすることで、ロープ１４の先端側の部位を溝部３６内に収納したまま、すなわちロープ１４の先端部を落下させずに、操作棒１０の伸ばす長さに対応して、ロープ１４を伸ばすことができる。従って、このロープ取付工具１によると、操作棒１０を伸ばしてガイド部１２を樹木Ｔの高所に持ち上げる際に、ロープ１４をその持ち上げる動きに適切に追従させることができる。これにより、ガイド部１２を樹木Ｔの高所に持ち上げる際に、ロープ１４がガイド部１２から外れたり、ロープ１４の先端が落下したりすることを抑制し、ロープを適切に樹木に取付けることができる。また、このロープ取付工具１は、先端のガイド部１２を樹木Ｔの高い箇所の周囲に沿わせた後で、リール部１６を開放状態とすることで、ロープ１４が樹木Ｔの周囲の一部を囲った状態で、重り４２の自重により、ロープ１４の先端を地表まで適切に落下させることができる。作業者は、このロープ１４の先端をロープ１４の他の箇所に結ぶことで、ロープ１４を樹木Ｔに取り付けることができる。ここで、ロープ取付工具１は、ロープ１４の先端に重り４２を取り付けることで、ロープ１４を自重で適切に落下させることができる。また、ロープ１４の先端を地表まで落下させるので、地表近くでロープ１４を結ぶことができ、容易に取付けが可能となる。
【００４４】
また、本実施形態に係るロープ取付工具１は、ガイド部１２の先端部３４に設けられ、ロープ１４を上に載せつつ回転するローラー部３９をさらに有することが好ましい。このロープ取付工具１は、ローラー部３９の回転により、ロープ１４の先端を円滑に落下させることができる。従って、このロープ取付工具１は、ロープ１４を樹木Ｔに適切に取り付けることができる。
【００４５】
また、本実施形態に係るロープ取付け方法は、ロープ取付工具１を用いてロープを樹木Ｔに取付ける。このロープ取付方法は、ガイド部設置ステップ（ステップＳ１２、Ｓ１４）と、落下ステップ（ステップＳ１６）とを有する。ガイド部設置ステップにおいては、リール部１６を半開放状態としつつ操作棒１０を伸ばして、所定高さの位置における樹木Ｔの周囲に、ガイド部１２を沿わせる。そして、落下ステップにおいては、ガイド部１２を樹木Ｔの周囲に沿わせた状態で、リール部１６を開放状態として、ロープ１４の先端を落下させる。このロープ取付方法によると、ロープ取付工具１を用いてロープを樹木Ｔに取付けるため、ロープ１４を樹木Ｔに適切に取り付けることができる。
【００４６】
なお、本実施形態では、ロープ１４を樹木Ｔに取付けている。ただし、樹木Ｔに取付けるロープは、ロープ１４に限られず、別のロープ６０であってもよい。この場合、ロープ１４を別のロープ６０に取付け、この別のロープ６０を樹木Ｔに取付け、別のロープ６０で樹木Ｔを引っ張りながら、樹木Ｔを伐採する。
【００４７】
図６は、別のロープを取り付ける例を説明する説明図である。別のロープ６０を取り付ける際には、図５のステップＳ１８、Ｓ２０の代わりに、図６に示すステップＳ１８ａ、Ｓ２０ａ、Ｓ２２ａを実行する。具体的には、ステップＳ１０からステップＳ１６までは、図５と同じである。そして、ステップＳ１６でロープ１４を落下させた後、落下したロープ１４に別のロープ６０を取り付ける（ステップＳ１８ａ；別ロープ取付けステップ）。この場合、作業者は、地表に落下したロープ１４の先端のフック部４３に、別のロープ６０の先端６２を取り付ける。これにより、ロープ１４に別のロープ６０が接続、固定される。
【００４８】
別ロープ取付けステップの後、作業者は、ロープ１４のフック部４３を別のロープ６０に取付けた状態で、ロープ１４をリール部１６に巻き取る（ステップＳ２０ａ；引き上げステップ）。これにより、ロープ１４と共に、別のロープ６０が上方に引き上げられる。そして、作業者は、さらにロープ１４をリール部１６に巻き取ったり、リール部１６を固定状態としたままロープ１４を引っ張ったりすることで、別のロープ６０を樹木Ｔに沿わせて、別のロープ６０の先端６２を地表近くまで引き下げる（ステップＳ２２ａ；引き下げステップ）。この引下げステップにおいて、別のロープ６０の先端６２を地表近くまで引き下げることで、樹木Ｔの周囲を別のロープ６０で包囲することが可能となり、別のロープ６０が樹木Ｔに取付けられる。その後、作業者は、別のロープ６０をロープ１４から取り外し、別のロープ６０を結び、別のロープ６０で樹木Ｔをけん引しながら、樹木Ｔを伐採する。
【００４９】
このように、ロープ取付方法は、別ロープ取付けステップ（ステップＳ１８ａ）と、引き上げステップ（ステップＳ２０ａ）と、引き下げステップ（ステップＳ２２ａ）とを有していてもよい。別ロープ取付けステップにおいては、落下ステップの後に、落下したロープ１４に別のロープ６０を取り付ける。引き上げステップにおいては、リール部１６によりロープ１４を巻き上げることで、落下させたロープ１４の先端を別のロープ６０と共に引き上げる。引き下げステップにおいては、引き上げステップにおいて引き上げた別のロープ６０の先端６２を引き下げて、別のロープ６０を樹木Ｔに取付ける。このように、別のロープ６０を樹木Ｔに取付けることで、ロープ１４を別のロープ６０の取付け用に使用することができる。従って、この方法によると、ロープ取付工具１に取付けられたロープ１４を切断したりする必要がなくなるため、ロープ取付工具１に取付けられたロープ１４を適切に再利用することができる。
【００５０】
（第２実施形態）
次に、第２実施形態について説明する。第２実施形態に係るロープ取付工具１Ａは、ガイド部１２Ａが、延在状態と湾曲状態とを切り替え可能である点で、第１実施形態と異なる。第２実施形態において第１実施形態と構成が共通する箇所は、説明を省略する。
【００５１】
図７は、第２実施形態に係るロープ取付け工具の延在状態と湾曲状態とを示す図である。図７に示すように、第２実施形態に係るロープ取付工具１Ａは、ガイド部１２Ａを有する。ガイド部１２Ａは、ガイド延在部３０Ａと、関節部３８とを有している。
【００５２】
図７の（Ａ１）は、湾曲状態におけるロープ取付工具１Ａの正面図であり、（Ａ２）は、湾曲状態におけるロープ取付工具１Ａの上面図である。また、図７の（Ｂ１）は、延在状態におけるロープ取付工具１Ａの正面図であり、（Ｂ２）は、延在状態におけるロープ取付工具１Ａの上面図である。
【００５３】
ガイド延在部３０Ａは、複数のガイド部３７を有している点で、第１実施形態のガイド延在部３０と異なる。ガイド部３７は、溝部３６Ａを有している。複数のガイド部３７は、直列に配列するよう互いに接続され、配列方向を変化可能である。具体的には、図７の（Ｂ１）及び（Ｂ２）に示すように、ガイド部３７は、延在状態において、複数が直線状に配列する。そのため、ガイド延在部３０Ａは、延在状態において、直線状に延びた状態となる。また、ガイド部３７は、図７の（Ａ１）及び（Ａ２）に示すように、湾曲状態において、Ｕ字状に湾曲した軌跡を持って配列する。従って、ガイド延在部３０Ａは、湾曲状態において、第１実施形態のガイド延在部３０と同様に湾曲している。また、各ガイド部３７の溝部３６Ａが連なって、溝３６を構成している。
【００５４】
関節部３８は、ガイド延在部３０Ａの末端部３２と操作棒１０の先端部２０との間に設けられ、ガイド延在部３０Ａと操作棒１０とを接続している。ロープ取付工具１Ａは、関節部３８を中心に、ガイド延在部３０Ａを操作棒１０に対して回転可能である。関節部３８は、回転することで、角度θを変化させる。角度θは、操作棒１０の軸方向と、ガイド延在部３０Ａの先端部と末端部とを結ぶ直線との間の角度である。ガイド延在部３０Ａは、角度θが小さいほど、操作棒１０の軸方向に対する傾斜角度が小さくなり、操作棒１０により沿うようになる。また、ガイド延在部３０Ａは、角度θが大きいほど、操作棒１０の軸方向に対する傾斜角度が大きくなり、操作棒１０からより傾斜するようになる。
【００５５】
ガイド部１２Ａは、延在状態において、ガイド延在部３０Ａを直線状に延びた状態とする（ガイド部３７を直線状に配列させる）。また、ガイド部１２Ａは、延在状態において、ガイド延在部３０Ａの延在方向を、操作棒１０の軸方向に沿わせた方向とする。言い換えれば、ガイド部１２Ａは、延在状態において、角度θを０度とする。ただし、ガイド部１２Ａは、延在状態において、ガイド延在部３０Ａの延在方向を操作棒１０の軸方向から傾斜した方向にしてもよく、言い換えれば、角度θを０度より大きくしてもよい。
【００５６】
ガイド部１２Ａは、湾曲状態において、ガイド延在部３０Ａを湾曲した状態（ガイド部３７を湾曲した軌跡で配列させる）にする。また、ガイド部１２Ａは、湾曲状態において、ガイド延在部３０Ａを操作棒１０の軸方向に傾斜させる。ガイド部１２Ａは、湾曲状態において、延在状態よりも、ガイド延在部３０Ａを操作棒１０の軸方向により傾斜させる。すなわち、ガイド部１２Ａは、湾曲状態において、角度θを、延在状態における角度θよりも大きくする。ガイド部１２Ａは、湾曲状態において、角度θを、延在状態における角度θよりも大きく、９０度以下とすることが好ましく、例えば９０度とすることがより好ましい。
【００５７】
第２実施形態におけるガイド部１２Ａは、以上のような構成となっている。以下、ガイド部１２Ａを延在状態から湾曲状態に切り替える際の方法の一例を説明する。図８は、第２実施形態に係るガイド部を延在状態から湾曲状態に切り替える際の方法の一例を説明する図である。図８のステップＳ３０は、延在状態を示している。図８のステップＳ３０に示すように、ロープ取付工具１Ａは、ロープ８０と、先端作用点部８２と、末端支点部８４とを有する。先端作用点部８２は、ガイド延在部３０Ａの最先端側のガイド部３７に取付けられている。より詳しくは、先端作用点部８２は、最先端側のガイド部３７の側面に取付けられている。末端支点部８４は、操作棒１０の末端側に取付けられている。ロープ８０は、先端が先端作用点部８２に取付けられ、中央箇所が末端支点部８４に取付けられている。ロープ８０は、末端支点部８４に取付けられている位置が可変する。従って、延在状態においてロープ８０の末端を引っ張ると、ステップＳ３２に示すように、末端支点部８４を支点として、先端作用点部８２が末端支点部８４側に引っ張られる。従って、ガイド延在部３０Ａの最先端側のガイド部３７が、先端作用点部８２が取り付けられた側面側であって、操作棒１０の末端側へ引っ張られる。これにより、ステップＳ３２に示すように、複数のガイド部３７の配列方向が、湾曲した軌跡となり、ガイド延在部３０Ａが湾曲する。また、例えばロープ８０の引張りを解除すると、ガイド延在部３０Ａが湾曲した状態から、直線に延びた状態に戻る。
【００５８】
また、図８のステップＳ３２に示すように、ロープ取付工具１Ａは、ロープ９０と、先端作用点部９２と、末端支点部９４とを有する。先端作用点部９２は、ガイド延在部３０Ａの最末端側のガイド部３７に取付けられている。より詳しくは、先端作用点部９２は、最末端側のガイド部３７の底面に取付けられている。また、末端支点部９４は、操作棒１０の末端側に取付けられている。ロープ９０は、先端が先端作用点部９２に取付けられ、中央箇所が末端支点部９４に取付けられている。ロープ９０は、末端支点部９４に取付けられている位置が可変する。従って、ステップＳ３２においてロープ９０の末端を引っ張ると、ステップＳ３４に示すように、末端支点部９４を支点として、先端作用点部９２が末端支点部９４側に引っ張られる。従って、ガイド延在部３０Ａが、先端作用点部９２が取り付けられた底面側であって、操作棒１０の末端側へ引っ張られる。これにより、ステップＳ３４に示すように、ガイド延在部３０Ａが、関節部３８を中心に、先端作用点部９２が取り付けられた底面側に回転する。これにより、ガイド部１２Ａが湾曲状態となる。
【００５９】
ガイド部１２Ａは、図８の例のように延在状態と湾曲状態とを切り替え可能とすることで、例えば操作棒１０を伸ばした状態においても、作業者によって容易に延在状態と湾曲状態とを切り替えることができる。ただし、図８の切り替え方法は、一例であり、延在状態と湾曲状態とを切り替える構成及び方法は、任意である。
【００６０】
次に、ロープ取付工具１Ａを用いてロープ１４を樹木Ｔに取付ける方法について説明する。図９は、第２実施形態に係るロープ取付工具を用いてロープを樹木に取付ける方法を説明する説明図である。図９のステップＳ１０Ａに示すように、ロープ１４を樹木Ｔに取付ける際には、作業者は、操作棒１０を縮めた状態で、ガイド部１２Ａを延在状態としておく。この場合、作業者は、リール部１６を固定状態としておき、ロープ１４の先部位４４をガイド部１２Ａの溝３６内に収納し、ロープ１４の先端部４０を溝３６の外側に露出させておく。
【００６１】
ステップＳ１０Ａの後、作業者は、リール部１６を半開放状態とし、ガイド部１２Ａを延在状態としたまま、操作棒１０を樹木Ｔの幹に沿って鉛直方向上方に伸ばす（ステップＳ１２Ａ）。操作棒１０を伸ばす際にガイド部１２Ａを延在状態としているため、ガイド部１２Ａが樹木Ｔの枝Ｔａなどに当たることが抑制され、作業者は、ガイド部１２Ａに邪魔されることなく、操作棒１０を適切に望んだ位置まで伸ばすことができる。
【００６２】
操作棒１０を望ましい位置まで伸ばした後、作業者は、ガイド部１２Ａを延在状態から湾曲状態に切り替えて、ガイド部１２Ａの湾曲した箇所の内周を、樹木Ｔの外周に沿わせる（ステップＳ１４Ａ）。このステップＳ１２Ａ及びステップＳ１４Ａは、ガイド部設置ステップに相当し、ガイド部１２Ａを延在状態から湾曲状態に切り替える点以外は、図５に示す第１実施形態のステップＳ１２及びステップＳ１４と同じ内容である。その後、作業者は、ステップＳ１６Ａ、ステップＳ１８Ａ、及びステップＳ２０Ａを実行して、ロープ１４をロープ取付工具１Ａに取付け、樹木Ｔを伐採する。ステップＳ１６Ａ、Ｓ１８Ａ、Ｓ２０Ａは、それぞれ、図５に示すステップＳ１６、Ｓ１８、Ｓ２０と同内容である。すなわち、第２実施形態におけるロープ１４の取付け方法は、ガイド部１２Ａを延在状態から湾曲状態に切り替える点以外は、図５に示す第１実施形態のロープ１４の取付け方法と同様である。
【００６３】
以上のように、第２実施形態に係るロープ取付工具１Ａは、ガイド部１２Ａが、ガイド延在部３０Ａと、関節部３８とを有する。ガイド延在部３０Ａは、溝３６Ａが設けられ、直線状に延びた状態と湾曲した状態とを切り替え可能である。関節部３８は、操作棒１０側の末端部に設けられて、ガイド延在部３０Ａの操作棒１０に対する角度を変化させる。ガイド部１２Ａは、延在状態と湾曲状態とを切り替え可能である。延在状態は、ガイド延在部３０Ａを伸びた状態とした状態である。また、湾曲状態は、延在状態よりもガイド延在部３０Ａを操作棒１０に対して傾斜させつつ、ガイド延在部３０Ａを湾曲した状態とした状態である。このロープ取付工具１Ａは、操作棒１０を伸ばす際に、ガイド部１２Ａを延在状態とし、ガイド部１２Ａを樹木Ｔに沿わせる際に、湾曲状態とすることが可能である。これにより、ロープ取付工具１Ａは、操作棒１０を伸ばす際に、ガイド部１２Ａが邪魔になることを抑制し、ロープを適切に樹木Ｔに取付けることができる。
【００６４】
以上、本発明の実施形態について説明したが、これら実施形態の内容によりこの発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００６５】
１  ロープ取付工具
１０  操作棒
１２  ガイド部
１４  ロープ
１６  リール部
２０、３４、４０  先端部
２２、３２、４１  末端部
３０  ガイド延在部
３６  溝
３９  ローラー部
４２  重り
４３  フック部
４４  先部位
４６  末部位
５０  ボビン部
５２  軸部
５４  ハンドル部
５６  負荷調整部
【図１】
2019041674.tif 000003
【図２】
2019041674.tif 000004
【図３】
2019041674.tif 000005
【図４】
2019041674.tif 000006
【図５】
2019041674.tif 000007
【図６】
2019041674.tif 000008
【図７】
2019041674.tif 000009
【図８】
2019041674.tif 000010
【図９】
2019041674.tif 000011